(57)【要約】【課題】人が人感センサの検出エリア内にいて負荷をＯＮする必要があるか否かを、より正確に判定する人感センサシステムを提供する。【解決手段】人感センサシステム１００において、制御部１０７は、所定周期ごとに、人感センサ部１０１が人体の存在を検知している状態であるか否かを判定する。タイマ部１０６による時間の計測を開始していないときに、人感センサ部１０１が人体の存在を検知している状態となった場合、制御部１０７は、タイマ部１０６による時間の計測を開始する。その後、タイマ部１０６により計測された時間が設定記憶部１０５に記憶された点灯遅延時間に達したときに、人感センサ部１０１が人体の存在を検知している状態となっており、かつ、明るさセンサ部１０２で検知された周囲の明るさが所定レベル未満である場合、制御部１０７は、点灯回路１１０に接続された照明負荷１１３を点灯させる。【選択図】図１
2010211995.tif 000002
【特許請求の範囲】
【請求項１】
照明負荷が接続される点灯回路と、
前記照明負荷を点灯させるまでの時間として設定された点灯遅延時間を記憶装置により記憶する設定記憶部と、
所定エリア内における人体の在否を検知する人感センサ部と、
前記所定エリアの明るさを検知する明るさセンサ部と、
時間を計測するタイマ部と、
所定周期ごとに、前記人感センサ部が前記所定エリアにおける人体の存在を検知している状態であるか否かを判定し、前記タイマ部による時間の計測を開始していないときに、前記人感センサ部が前記所定エリアにおける人体の存在を検知している状態となったと判定した場合、前記タイマ部による時間の計測を開始し、前記タイマ部により計測された時間が前記設定記憶部に記憶された点灯遅延時間に達したときに、前記人感センサ部が前記所定エリアにおける人体の存在を検知している状態となっており、かつ、前記明るさセンサ部で検知された前記所定エリアにおける明るさが所定レベル未満であると判定した場合、前記点灯回路に接続された照明負荷を点灯させる制御部とを備えることを特徴とする人感センサシステム。
【発明の詳細な説明】
【技術分野】
【０００１】
本発明は、人感センサシステムに関するものである。
【背景技術】
【０００２】
従来から、人から放射される熱線を熱線センサ（人感センサ）により検知して人体の存否を検出することにより、負荷を自動的にＯＮ／ＯＦＦさせる装置が広く利用されている。この種の装置は、一般的に、人体の存在を検出して負荷をＯＮした後、人体の存在を検出しなくなったときから所定時間（遅延時間）後に負荷をＯＦＦするようにしている（例えば、特許文献１参照）。この遅延時間は、人感センサに設けられた可変抵抗器（スイッチ等）を切り替えることにより設定され、人感センサの検知頻度等の使用環境等に応じて、例えば５秒〜６０分の範囲で設定されるようになっている。また、人から放射される熱線をある特定のエリアのみ検出したい場合は、人感センサ本体に熱線を通過させないようなカバーが設けられ、検出範囲を制限する方法がとられている。
【先行技術文献】
【特許文献】
【０００３】
【特許文献１】特開平８−９６９６７号公報
【発明の概要】
【発明が解決しようとする課題】
【０００４】
机、通路等が人感センサの近傍（検出エリア内）にある場合は、机に人が不在のとき（負荷のＯＮ不要時）に人が通路を通過するだけで負荷がＯＮされてしまい、無駄なエネルギーが消費されてしまう。これを防止する為に、人感センサの検出範囲を制限するカバーを用いて通路側を非検出エリアとし、人の通過に対しては不在と認識して負荷をＯＮしないような運用が可能である。しかしながら、この場合には、通路側に近い机付近に人が在となったときでも検出範囲を制限するカバーにより不在と認識され、負荷の制御が行われないことがあるという課題があった。
【０００５】
本発明は、例えば、人が人感センサの検出エリア内にいて負荷をＯＮする必要があるか否かを、より正確に判定する人感センサシステムを提供することを目的とする。
【課題を解決するための手段】
【０００６】
本発明の一の態様に係る人感センサシステムは、
照明負荷が接続される点灯回路と、
前記照明負荷を点灯させるまでの時間として設定された点灯遅延時間を記憶装置により記憶する設定記憶部と、
所定エリア内における人体の在否を検知する人感センサ部と、
前記所定エリアの明るさを検知する明るさセンサ部と、
時間を計測するタイマ部と、
所定周期ごとに、前記人感センサ部が前記所定エリアにおける人体の存在を検知している状態であるか否かを判定し、前記タイマ部による時間の計測を開始していないときに、前記人感センサ部が前記所定エリアにおける人体の存在を検知している状態となったと判定した場合、前記タイマ部による時間の計測を開始し、前記タイマ部により計測された時間が前記設定記憶部に記憶された点灯遅延時間に達したときに、前記人感センサ部が前記所定エリアにおける人体の存在を検知している状態となっており、かつ、前記明るさセンサ部で検知された前記所定エリアにおける明るさが所定レベル未満であると判定した場合、前記点灯回路に接続された照明負荷を点灯させる制御部とを備えることを特徴とする。
【発明の効果】
【０００７】
本発明の一の態様によれば、人が人感センサの検出エリア内にいて負荷をＯＮする必要があるか否かを、より正確に判定する人感センサシステムを提供することが可能となる。
【図面の簡単な説明】
【０００８】
【図１】実施の形態１に係る人感センサシステムの構成を示すブロック図である。
【図２】実施の形態１に係る人感センサシステムの動作を示す図である。
【発明を実施するための形態】
【０００９】
以下、本発明の実施の形態について、図を用いて説明する。
【００１０】
実施の形態１．
図１は、本実施の形態に係る人感センサシステム１００の構成を示すブロック図である。
【００１１】
図１において、人感センサシステム１００は、人感センサ部１０１、明るさセンサ部１０２、点灯遅延時間設定部１０３、明るさ設定部１０４、設定記憶部１０５、タイマ部１０６、制御部１０７、負荷駆動部１０８、リモコン送受信部１０９、点灯回路１１０を備えている。点灯回路１１０はスイッチ要素部１１１を具備しており、点灯回路１１０には商用電源１１２及び照明負荷１１３（他の種類の負荷であってもよい）が接続されている。
【００１２】
人感センサ部１０１は、所定エリア（検出範囲）内における人体の在否を検知する。具体的には、人感センサ部１０１は、人体から放射される熱線を検知することにより人の在否を検出する。
【００１３】
明るさセンサ部１０２は、上記所定エリアの明るさを検知する（周囲の照度を検出する）。
【００１４】
点灯遅延時間設定部１０３は、人感センサ部１０１が人の在を検出してから制御部１０７が照明負荷１１３をＯＮするまでの時間を点灯遅延時間としてロータリスイッチ等の設定スイッチにより設定する。設定範囲は、例えば０秒、１秒、２秒、３秒〜５秒、１０秒、２０秒等である。また、点灯遅延時間設定部１０３は、制御部１０７による照明負荷１１３のＯＮ／ＯＦＦ制御のモードを設定する。モードとしては、例えば「切」、「点灯遅延機能無効」、「通常」、「連続入」等がある。「切」モード設定時は、制御部１０７は、人感センサ部１０１の状態に関わらず、常に照明負荷１１３をＯＦＦにする。「点灯遅延機能無効」モード設定時は、制御部１０７は、人感センサ部１０１が在検出時、瞬時に照明負荷１１３をＯＮにする。「通常」モード設定時は、制御部１０７は、人感センサ部１０１が人の在を検出してから、設定された点灯遅延時間（１秒、２秒、３秒〜５秒、１０秒、２０秒）経過後に照明負荷１１３をＯＮにする。「連続入」モード設定時は、制御部１０７は、人感センサ部１０１の状態に関わらず、常に照明負荷１１３をＯＮにする。
【００１５】
明るさ設定部１０４は、制御部１０７が照明負荷１１３をＯＮ制御する条件となる周囲の明るさレベル（閾値）を設定する。設定範囲は、例えば０ルクス〜１０００ルクスである。
【００１６】
設定記憶部１０５は、照明負荷１１３を点灯させるまでの時間として設定された点灯遅延時間等を記憶装置により記憶する。具体的には、設定記憶部１０５は、点灯遅延時間設定部１０３により設定された点灯遅延時間やモード、明るさ設定部１０４により設定された明るさレベル等の設定値を不揮発メモリに記憶させる。
【００１７】
タイマ部１０６は、時間を計測する（点灯遅延時間の管理を行う）。
【００１８】
制御部１０７は、マイクロコンピュータを具備しており、所定周期ごとに、人感センサ部１０１が上記所定エリアにおける人体の存在を検知している状態であるか否かをマイクロコンピュータにより判定する。設定記憶部１０５に記憶されたモードが「通常」モードであれば、制御部１０７は、タイマ部１０６による時間の計測を開始していないときに、人感センサ部１０１が上記所定エリアにおける人体の存在を検知している状態となったと判定した場合、タイマ部１０６による時間の計測を開始する。制御部１０７は、タイマ部１０６により計測された時間が設定記憶部１０５に記憶された点灯遅延時間に達したときに、人感センサ部１０１が上記所定エリアにおける人体の存在を検知している状態となっており、かつ、明るさセンサ部１０２で検知された上記所定エリアにおける明るさが所定レベル（設定記憶部１０５に記憶された明るさレベル）未満であると判定した場合、点灯回路１１０に接続された照明負荷１１３を点灯させる。このとき、具体的には、制御部１０７は、負荷駆動部１０８をマイクロコンピュータにより制御してスイッチ要素部１１１を閉じさせる。スイッチ要素部１１１が閉じることにより、点灯回路１１０にて、商用電源１１２と照明負荷１１３との間が通電され、照明負荷１１３が商用電源１１２により給電されて点灯する。なお、スイッチ要素部１１１は、商用電源１１２をＯＮ／ＯＦＦさせる用途として利用される接点スイッチ又は半導体スイッチ等である。負荷駆動部１０８は、制御部１０７から指示されるＯＮ／ＯＦＦ制御をスイッチ要素部１１１に対して行う。
【００１９】
リモコン送受信部１０９は、ワイヤレスリモコンから送られてくるデータを受信する。点灯遅延時間設定部１０３は、このデータに基づいて、点灯遅延時間やモード等を設定してもよい。同様に、明るさ設定部１０４は、このデータに基づいて、明るさレベル等を設定してもよい。また、リモコン送受信部１０９は、点灯遅延時間設定部１０３や明るさ設定部１０４により設定された値（設定記憶部１０５に記憶された設定値）をリモコン本体に送信し、リモコンに設定値を表示させる。
【００２０】
以下では、人感センサシステム１００の動作について説明する。
【００２１】
人感センサシステム１００は、制御部１０７にて、人感センサ部１０１、明るさセンサ部１０２からの情報を一定周期でサンプリングし、取得された情報を基に、点灯遅延時間設定部１０３、明るさ設定部１０４で設定された遅延点灯時間、明るさレベルに応じた制御を行う。
【００２２】
図２（ａ）は、人感センサシステム１００の動作を示すフローチャートである。
【００２３】
ステップＳ１０１において、制御部１０７は、一定周期ごとに、設定記憶部１０５に記憶された点灯遅延時間や明るさレベルの設定値を読み取って入力する。また、ステップＳ１０２において、制御部１０７は、一定周期ごとに、人感センサ部１０１や明るさセンサ部１０２の状態を取得して入力する。
【００２４】
ステップＳ１０３において、制御部１０７は、照明負荷１１３の制御状態を判定する。ステップＳ１０３で照明負荷１１３が点灯中の場合（「ＯＮ」）、ステップＳ１０４において、制御部１０７は、照明負荷１１３等の状態を監視する等の処理を行い、ステップＳ１０１に戻る。一方、ステップＳ１０３で照明負荷１１３が消灯中の場合（「ＯＦＦ」）、ステップＳ１０５において、制御部１０７は、ステップＳ１０２で入力した人感センサ部１０１の状態が人体の存在を検知している状態であるか否かを判定する。ステップＳ１０５で人感センサ部１０１が人体の存在を検知している状態の場合（「在」）、ステップＳ１０６において、制御部１０７は、タイマ部１０６による時間の計測を開始しているか否かを判定する。ステップＳ１０６でタイマ部１０６による時間の計測がまだ開始されていない場合（「終了」）、ステップＳ１０７において、制御部１０７は、タイマ部１０６による時間の計測を開始し、ステップＳ１０８に進む。一方、ステップＳ１０６でタイマ部１０６による時間の計測が既に開始されている場合（「起動中」）、そのままステップＳ１０８に進む。
【００２５】
ステップＳ１０８において、タイマ部１０６は、記憶装置に記憶された遅延タイマカウント値をインクリメントする。ステップＳ１０９において、制御部１０７は、遅延タイマカウント値とステップＳ１０１で入力した点灯遅延時間の設定値とを比較する。ステップＳ１０９で遅延タイマカウント値が点灯遅延時間の設定値と等しい場合（「カウント値＝設定値」）、ステップＳ１１０に進む。一方、ステップＳ１０９で遅延タイマカウント値が点灯遅延時間の設定値と等しくない場合（「カウント値≠設定値」）、ステップＳ１１４に進む。
【００２６】
ステップＳ１１０において、制御部１０７は、ステップＳ１０２で明るさセンサ部１０２の状態として入力した、明るさセンサ部１０２が検知している周囲の明るさとステップＳ１０１で入力した明るさレベルの設定値とを比較する。ステップＳ１１０で周囲の明るさが明るさレベルの設定値未満（即ち、暗い）場合（「明るさ＜設定値」）、ステップＳ１１１において、制御部１０７は、照明負荷１１３を点灯させ、ステップＳ１０１に戻る。一方、ステップＳ１１０で周囲の明るさが明るさレベルの設定値以上（即ち、明るい）場合（「明るさ≧設定値」）、そのままステップＳ１０１に戻る。
【００２７】
ステップＳ１０５で人感センサ部１０１が人体の存在を検知していない状態の場合（「不在」）、ステップＳ１１２において、制御部１０７は、タイマ部１０６による時間の計測を開始しているか否かを判定する。ステップＳ１１２でタイマ部１０６による時間の計測がまだ開始されていない場合（「終了」）、ステップＳ１０１に戻る。一方、ステップＳ１１２でタイマ部１０６による時間の計測が既に開始されている場合（「遅延中」）、ステップＳ１１３で遅延タイマカウント値を加算し、ステップＳ１１４に進む。
【００２８】
ステップＳ１１４において、制御部１０７は、遅延タイマカウント値とステップＳ１０１で入力した点灯遅延時間の設定値とを比較する。ステップＳ１１４で遅延タイマカウント値が点灯遅延時間の設定値より大きい場合（「カウント値＞設定値」）、ステップＳ１１５において、制御部１０７は、タイマ部１０６による時間の計測を終了して、タイマ部１０６に遅延タイマカウント値をリセットさせ、ステップＳ１０１に戻る。一方、ステップＳ１１４で遅延タイマカウント値が点灯遅延時間の設定値以下の場合（「カウント値≦設定値」）、そのままステップＳ１０１に戻る。
【００２９】
本実施の形態では、人感センサシステム１００が上記のような動作を行うことにより、例えば図２（ｂ）に示したように、机に人が不在のとき（照明負荷１１３のＯＮ不要時）に人が通路を通過するだけで照明負荷１１３がＯＮされてしまうことを防止できる。また、例えば図２（ｃ）に示したように、通路側に近い机付近に人が在となったときでも照明負荷１１３を確実にＯＮすることが可能となる。
【００３０】
以上説明したように、本実施の形態では、人感センサシステム１００は、人体を検出する人感センサにより検出された情報（在検知）を基に、設定された所定時間（点灯遅延時間）の経過後に信号を出力して負荷の制御（ＯＮ）を行う。具体的には、予め点灯遅延時間が設定されており、人感センサの検知エリアに人が入り在検知すると点灯遅延時間のタイマが起動され、時間とともにカウンタがインクリメントされる。例えば、カウンタのインクリメント中は点灯制御の遅延中であることを示す為に、人感センサシステム１００を実装した装置本体に設置してある点灯装置（ＬＥＤ等）を点灯させ、現在の動作状態として表示してもよい。点灯遅延時間が経過しても、人感センサの状態が在検知状態である場合は負荷のＯＮ制御を行い、不在検知状態の場合は負荷の制御を実施しない。また、明るさセンサと組み合わせて、周囲の明るさが設定値（明るさ設定値）のレベル以上に達していた場合は、ＯＮ制御を行う状態であってもＯＮ制御は実施されない。なお、本実施の形態では、点灯遅延時間を０秒と設定することで、人感センサの在情報を瞬時に反映させて負荷をＯＮさせることも可能である。
【００３１】
点灯遅延時間、明るさ設定値は、人感センサシステム１００を実装した装置本体に設置してあるロータリスイッチ、又は、ワイヤレスリモコンにより任意に設定することが可能である。リモコンを用いる場合、設定された結果（点灯遅延時間の設定値等）をリモコンの受信機能（受信操作）によりリモコン本体に表示することが可能である。人感センサシステム１００を実装した装置本体に設置されているロータリスイッチとワイヤレスリモコンの優先される順位は、リモコン優先／優先解除信号をリモコンから送信することにより可能となる。
【００３２】
以上説明したように、本実施の形態によれば、人が人感センサの検出エリア内にいて負荷をＯＮする必要があるか否かを、より正確に判定することが可能となる。
【符号の説明】
【００３３】
１００  人感センサシステム、１０１  人感センサ部、１０２  明るさセンサ部、１０３  点灯遅延時間設定部、１０４  明るさ設定部、１０５  設定記憶部、１０６  タイマ部、１０７  制御部、１０８  負荷駆動部、１０９  リモコン送受信部、１１０  点灯回路、１１１  スイッチ要素部、１１２  商用電源、１１３  照明負荷。
【図１】
2010211995.tif 000003
【図２】
2010211995.tif 000004